(57)【要約】【課題】スムーズに結束作業を行うことができるラッシングベルトのフックの固定装置を提供する。【解決手段】ラッシングベルトのベルト１０のフック本体１１に近い位置に吸着ユニット２０が設けられ、吸着ユニット２０が対応するフック本体１１が引っかかる側面の内縁面に強力な吸着力を有する吸着装置が設けられている。吸着ユニット２０の内縁面の吸着装置は、金属の吸着ユニット２０及び強力な磁石３１が組み合わされて形成されている。フック本体１１が車体の金属の荷台に引っ掛けられる時、吸着ユニット２０を利用して、共に荷台に吸い付けられて固定される。したがって、フック本体１１が荷台に引っ掛けられて固定され、その固定関係が維持されることで、フック本体１１がベルト１０を貨物に結束する過程において脱落するのを回避する。【選択図】図１
0003136609.tif 000002
【実用新案登録請求の範囲】
【請求項１】
ラッシングベルトのベルト先端部に設置され、車体の金属荷台に引っ掛けられた状態を維持するフック本体と、
前記ラッシングベルトのベルトのフック本体に近い位置に設置される吸着ユニットと、
前記吸着ユニットの対応するフック本体が引っかかる側面の内縁面に強力な吸着力を有する吸着装置と、を設けることを特徴とするラッシングベルトのフック固定装置。
【請求項２】
前記吸着ユニットの内縁面の吸着装置は、金属の吸着ユニット及び強力な磁石が複合して組み合わされて形成されていることを特徴とする請求項１に記載のラッシングベルトのフック固定装置。
【請求項３】
前記吸着ユニットの内縁面の吸着装置は、少なくとも１個あるいは１個以上設置されていることを特徴とする請求項１に記載のラッシングベルトのフック固定装置。
【請求項４】
前記吸着ユニットは、一体成形により形成され、ベルトにかぶせる形式で結合されていることを特徴とする請求項１に記載のラッシングベルトのフック固定装置。
【請求項５】
前記吸着ユニットは、組み合わせ式の構造で、吸着ユニットが組み合わされる際は、共にベルトも結合されることを特徴とする請求項１に記載のラッシングベルトのフック固定装置。
【請求項６】
前記吸着ユニットの内縁面の吸着装置は、吸着ユニットの内縁面に所定の柱型収納層が成形されており、収納層の中心にはねじが設置され、収納槽内には金属の磁石収納部分が設置され、ねじで固定された後、さらに強力な磁石が金属の磁石収納部分に埋設されることによって形成されていることを特徴とする請求項１に記載のラッシングベルトのフック固定装置。
【請求項７】
前記吸着ユニットの外縁面には凹んだ部分が設置され、反射シールが張られていることを特徴とする請求項１に記載のラッシングベルトのフック固定装置。
【請求項８】
前記吸着ユニットは、内側ケースと外側ケースが組み合わされて形成され、内側ケースと外側ケースの底部には相対するようにフレーム槽が設置され、フレーム槽の両端はそれぞれ差し込み槽と鉤状の差し込み部分が対応することで、直接吸着ユニットをベルトに組み合わせて、吸着ユニットに相対するフック本体の内縁面の下端部分には収納層を有し、金属の磁石収納部分が設置され、金属の磁石収納部分内には強力な磁石が埋設され、吸着装置を構成することを特徴とする請求項１に記載のラッシングベルトのフック固定装置。
【考案の詳細な説明】
【技術分野】
【０００１】
本考案は、ラッシングベルトのフック固定装置に関し、特に、ラッシングベルトで貨物を結束する過程において、ベルトとフックを車体の荷台の枠のフック部分に固定する際に、ベルトがフックから脱落することがなく、作業がスムーズに行えることを特徴とするラッシングベルトのフックの固定構造に関する。
【背景技術】
【０００２】
一般に、トラックに貨物を積む時には、積荷の状態を維持し、輸送の過程で貨物が脱落するのを回避するため、適切な荷台を設置して、貨物の積載空間を制限するほか、結ぶことにより貨物を安定させる。このタイプのベルトは、結ぶ際フックを利用して先端を荷台に引っ掛け、ラッシングベルトによってしっかりと縛ることで、緩むのを回避する。
【考案の開示】
【考案が解決しようとする課題】
【０００３】
このタイプのベルトは、通常、ベルトの一端にフックを設置して、荷台の一側面に引っ掛けて固定する。さらに、他端を向こう側に回して他端を荷台に引っ掛けて固定するか、荷台に回したのちに再度元の側に戻してラッシングベルトのバックルを調節して締め、ベルトでしっかりと貨物を固定させる。この操作において、ベルトのフックは、単純に荷台に引っ掛かっているだけに過ぎないため、ベルトの他端を向こう側に投げて、作業員がそれに伴って荷台の向こう側に移った後、往々にして手前のフックが荷台から脱落して、作業がスムーズに行えないという状況が発生する。このため、荷積み作業は、通常、２人１組で行い作業を完成させるため、人力と時間の無駄使いになる。
【０００４】
このため、本考案は、貨物を結ぶ際に、フックの脱落を回避して、スムーズに結束作業が行えるラッシングベルトのフック固定装置を提供することを目的とする。
【課題を解決するための手段】
【０００５】
上記目的を達成するため、本考案のラッシングベルトのフックの固定装置は、ラッシングベルトのベルト先端部に設置され、車体の金属荷台に引っ掛けられた状態を維持するフック本体と、前記ラッシングベルトのベルトのフック本体に近い位置に設置される吸着ユニットと、
前記吸着ユニットの対応するフック本体が引っかかる側面の内縁面に強力な吸着力を有する吸着装置と、を設けることを特徴とする。
本考案のラッシングベルトのフック固定装置は、ベルトのフック本体に近い位置に吸着ユニットが設置され、この吸着ユニットの設置はフック本体の引っ掛ける機能には影響せず、この吸着ユニットはフック本体の内側に強力な磁石を有する。これらの磁石はフック本体の内側に露出することで、フック本体を車体の荷台に引っ掛ける時、これらの磁石と共に荷台に引き寄せられて固定されるため、フック本体が脱落するのを回避する。したがって、貨物の結束及び梱包作業が簡単かつスムーズに行え、産業上の利用価値及び実用性が高い。
（考案の効果）
【０００６】
本考案のラッシングベルトのフックの固定装置は、ベルトのフック本体に近い位置に吸着ユニットが設置され、フック本体が車体の金属の荷台に引っ掛けられる時、吸着ユニットを利用して、共に荷台に吸い付けられて固定される。したがって、フック本体が荷台に引っ掛けられて固定され、その固定関係が維持されることで、フック本体がベルトを貨物に結ぶ過程において脱落するのを回避する。
【０００７】
また、本考案のラッシングベルトのフック固定装置は、ベルトのフック本体に近い位置に設置された吸着ユニットがフック本体の引っ掛けるという正常な機能に何ら影響せず、ベルトが荷台に掛けられる際に、作業を簡単且つスムーズに行える。
さらに、本考案のラッシングベルトのフック固定装置は、吸着ユニットの吸着固定機能に影響することなく、ベルト及びフック本体の構造にデザイン的な変化をもたせることが可能である。
【考案を実施するための最良の形態】
【０００８】
以下に本考案の好適な実施例について、図を参照しながら説明する。
（第１実施例）
本考案の第１実施例によるラッシングベルトのフックの固定装置は、図１から図６に示すように、ベルト１０と、それを貫通して設置されたフック本体１１に近い位置に別に吸着ユニット２０が設置される。吸着ユニット２０は、一体形成されるか、あるいは、図のように内側ケース２１と外側ケース２２を組み合わせて形成される。内側ケース２１と外側ケース２２を組み合わせて形成される場合のメリットは、直接吸着ユニット２０をベルト１０に設置でき、貫通はめ込み作業の必要がないという点にある。そして、組み合わせ式の吸着ユニット２０は、ベルト１０にかぶせる形で設置できる。
【０００９】
本実施例において、内側ケース２１と外側ケース２２は、逆三角形の形態で設置される。その底部には相対するようにフレーム槽２３とフレーム槽２４が設置される。このフレーム槽２３とフレーム槽２４の両端は、それぞれ差し込み槽２６と鉤状の差し込み部分２５が対応する。内側ケース２１と外側ケース２２の下端の角の部分には互いにはまり込む管状柱部分２７、管状柱部分２８が設置されている。この管状柱部分２７と管状柱部分２８中にはそれぞれ円柱部分２７１、円柱部分２８１を有する。この内側ケース２１の円柱部分２７１は、管状柱部分２７内端に設置された収納槽２７２後端から延びており、その中心にはねじ穴２７３を有する。
【００１０】
円柱部分２７１外径の外端にはさらに固定突起２７４が設置される。外側ケース２２の円柱部分２８１には内側ケース２１の円柱部分２７１と外径がぴったり合う内径穴２８２を有し、外端には固定槽２８３が設置される。内側ケース２１と外側ケース２２が組み合わされると、両者の管状柱部分２７、管状柱部分２８がフック本体１１底部の通し空間１２を通過して設置が行なわれて、内側ケース２１の円柱部分２７１が外側ケース２２の円柱部分２８１内に差し込まれて設置されて固定されることにより、直接吸着ユニット２０をベルト１０に固定する。
【００１１】
また、内側ケース２１の内端の収納槽２７２内には磁石収納部分３０がはめ込まれて、ねじ３０２が磁石収納部分３０中心のねじ穴３０１を通過することにより、しっかりと固定される。さらに、強力な磁石３１が磁石収納部分３０内に埋設されて、その吸着装置を構成する。磁石収納部分３０及び磁石３１は、フック本体１１内側に露出する。このように、ベルト１０は、フック本体１１のフック先端部１３によって車体の荷台の枠４０に引っ掛けられる時、吸着ユニット２０の磁石３１によって荷台の枠４０に吸着されて固定される。
【００１２】
さらに、この磁石収納部分３０と磁石３１が組み合わされて効果が倍増することで、安定した吸着効果が得られて、効果的にフック本体１１を荷台の枠４０に引っ掛けて留める状態を維持して、外的な力を受けてフック本体１１が脱落するのを回避する。したがって、ベルト１０の結束梱包作業が簡単でスムーズに行えるため、一人でも楽に梱包結束作業が行える。また、外側ケース２２の外縁面にはさらに凹んだ部分２２１を有することで、同形の反射シール２９が張られる。これは、美観を増す効果を有すると共に、反射することで、夜間に注意を促して、夜間運行が安全に行えるという効果を有する。したがって、産業上の利用価値及び実用性が高い。
【００１３】
（第２実施例）
次に、図７及び図８を参照しながら、本考案の第２実施例を説明する。本考案の第２実施例において、本実施例の組み合わせ式の吸着ユニット５０は、前述の一般のフック本体１１以外に別に特殊な板式のフック本体１４に対応させる時でも、前述の内側ケース５１と外側ケース５２の組み合わせ式の構造を基にして、内側ケース５１と外側ケース５２は内側を長くして外側を短くする。同時にその下端の幅を広くすることにより、その上端底部が対応して設置されたフレーム槽５３、フレーム槽５４、対応する差し込み槽（図示されない）及び差し込み部分（図示されない）によって構成される組み合わせ式の構造の外、別に内側ケース５１と外側ケース５２に対応して板式のフック本体１４の通し空間１５の位置に互いに挿入する形式で結合される差し込み部分５５及び差し込み槽５６が設置されることで、吸着ユニット５０によりベルト１０にしっかりと固定される。
【００１４】
内側ケース５２の下部内縁面には少なくとも１個の柱型収納層５７（図には２個示されている）が設置される。そして、その内部には磁石収納部分６０及び磁石６１（その組み合わせ方法は前述のとおりである）が埋設される。吸着ユニット５０が対応する板式のフック本体１４の内側面も同様に露出する磁石６１を有する構造であることにより、板式のフック本体１４が荷台の枠４０に引っ掛けられる時、同様に吸着効果が得られる。
【００１５】
このように、本考案は、ラッシングベルトの吸着ユニットに磁石を設置する構造により、ベルトのフック本体が車体の荷台に引っ掛けられた状態を安定して維持し、吸着ユニットの形態を特に制限することなく、フック本体の形態に適切な変化をもたせることが可能である。しかしながら、その先決条件は、吸着ユニットが対応するフック本体の内側側面に磁石構造を有することにある。フック本体が金属の荷台枠に引っ掛けられる時、吸着ユニットの磁石の吸着を利用することで、共に所定の固定効果が得られる。したがって、従来のラッシングベルトのフックの固定装置における結束作業の際に発生する脱落や緩みが回避される。したがって、本考案は、産業上の利用価値及び実用性が高いと同時に斬新である。
【図面の簡単な説明】
【００１６】
【図１】本考案の第１実施例によるラッシングベルトのフック固定装置を示す斜視図である。
【図２】本考案の第１実施例によるラッシングベルトのフック固定装置を示す斜視図である。
【図３】本考案の第１実施例によるラッシングベルトのフック固定装置の構造関係を示す模式図である。
【図４】本考案の第１実施例によるラッシングベルトのフック固定装置の他の方向から見た構造関係を示す模式図である。
【図５】本考案の第１実施例によるラッシングベルトのフック固定装置の実施状態を示す斜視図である。
【図６】本考案の第１実施例によるラッシングベルトのフック固定装置の実施した際の構造関係を示す模式図である。
【図７】本考案の第２実施例によるラッシングベルトのフック固定装置を示す斜視図である。
【図８】本考案の第２実施例によるラッシングベルトのフック固定装置の構造関係を示す模式図である。
【符号の説明】
【００１７】
１０：ベルト、１１：フック本体、１２：通し空間、１３：フック先端部、１４：フック本体、１５：通し空間、２０：吸着ユニット、２１：内側ケース、２２：外側ケース、２３：フレーム槽、２４：フレーム槽、２５：差し込み部分、２６：差し込み槽、２７：管状柱部分、２８：管状柱部分、２９：反射シール、３０：磁石収納部分、３１：磁石、４０：荷台の枠、５０：吸着ユニット、５１：内側ケース、５２：外側ケース、５３：フレーム槽、５４：フレーム槽、５５：差し込み部分、５６：差し込み槽、５７：柱型収納層、６０：磁石収納部分、６１：磁石、２１１：凹んだ部分、２７１：円柱部分、２７２：収納槽、２７３：ねじ穴、２７４：固定突起、２８１：円柱部分、２８２：内径穴、２８３：固定槽、３０１：ねじ穴、３０２：ねじ
【図１】
0003136609.tif 000003
【図２】
0003136609.tif 000004
【図３】
0003136609.tif 000005
【図４】
0003136609.tif 000006
【図５】
0003136609.tif 000007
【図６】
0003136609.tif 000008
【図７】
0003136609.tif 000009
【図８】
0003136609.tif 000010